(57)【要約】【課題】標示装置の提供。【解決手段】一種の標示装置、主に台、底台および標示板より構成する。該台と底台は磁気方向が反対の磁気素子によって、互いに吸着するか、または磁気素子と導磁金属が互いに吸着し、衣類の外側と内側に固定できる。該標示板は直伝同性質により、台に吸着させ、利用者の携帯に便利する。さらに、該標示板と底台に設ける立体スタイルまたは平面図形と合わせて、ゴルフ場グリーンに打ち上げたボールの位置標示、または衣類の装飾品に使用することができる。【選択図】図４
0003122919.tif 000002
【実用新案登録請求の範囲】
【請求項１】
台、底台及び標示板より構成され、台は導磁性部材よりなり、該台の下表面に第１磁気素子を設け、
底台はその上表面に第２磁気素子を設け、該第２磁気素子と該第１磁気素子との磁性を逆方向に設け、
標示板は導磁性部材を使用し、台の上面に吸着させる一種の標示装置。
【請求項２】
該標示板の上表面に立体の造形物を設けることを特徴とする請求項１記載の標示装置。
【請求項３】
該標示板の上表面に平面図形を設けることを特徴とする請求項１記載の標示装置。
【請求項４】
該底台の下表面に立体の造形物を設けることを特徴とする請求項１記載の標示装置。
【請求項５】
該底台の下表面に平面図形を設けることを特徴とする請求項１記載の標示装置。
【請求項６】
該底台の下表面に立体の造形物を設けることを特徴とする請求項２または請求項３記載の標示装置。
【請求項７】
該底台の下表面に平面図形を設けることを特徴とする請求項２または請求項３記載の標示装置。
【請求項８】
導磁性部材の台を設け、該台の下表面に磁気素子を設ける、
導磁性部材の台を設け、該台の下表面に備える磁気素子に吸着させる、
標示板は導磁性部材を使用し、該台の上表面に吸着させる一種の標示装置。
【請求項９】
該標示板の上表面に立体の造形物を設けることを特徴とする請求項８記載の標示装置。
【請求項１０】
該標示板の上表面に平面図形を設けることを特徴とする請求項８記載の標示装置。
【請求項１１】
該底台の下表面に立体の造形物を設けることを特徴とする請求項８記載の標示装置。
【請求項１２】
該底台の下表面に平面図形を設けることを特徴とする請求項８記載の標示装置。
【請求項１３】
該底台の下表面に立体の造形物を設けることを特徴とする請求項９または請求項１０記載の標示装置
【請求項１４】
該底台の下表面に平面図形を設けることを特徴とする請求項９または請求項１０記載の標示装置。
【請求項１５】
導磁性部材の台を設け、該台の下表面に第１磁気素子を設ける、
導磁性部材の台を設け、該台の下表面に備える第１磁気素子に吸着させる、
標示板の下表面に第２磁気素子を設け、該第２磁気素子と該第１磁気素子との磁性を逆方向に設ける一種の標示装置。
【請求項１６】
該標示板の上表面に立体の造形物を設けることを特徴とする請求項１５記載の標示装置。
【請求項１７】
該標示板の上表面に平面図形を設けることを特徴とする請求項１５記載の標示装置。
【請求項１８】
該底台の下表面に立体の造形物を設けることを特徴とする請求項１５記載の標示装置。
【請求項１９】
該底台の下表面に平面図形を設けることを特徴とする請求項１５記載の標示装置。
【請求項２０】
該底台の下表面に立体の造形物を設けることを特徴とする請求項１６または請求項１７記載の標示装置。
【請求項２１】
該底台の下表面に平面図形を設けることを特徴とする請求項１６または請求項１７記載の標示装置。
【考案の詳細な説明】
【技術分野】
【０００１】
本考案は一種のゴルフボールの位置またはバッジ、名札など衣類装飾品の標示装置に関わるものである。
【背景技術】
【０００２】
ゴルフ運動規則によると、ボールはグリーンに打ち上げるまでに、ボールに触れることができない。一方、グリーンに打ち上げたボールを取り上げるには二つのケースのみが許される。一つは、ボールに泥や不純物があるため、パッテイングにおけるボール経路を影響する恐れがあるとき、ボールを拾い上げて綺麗に拭き取ることを許される。もう一つのケースは、同じ組のプレーヤーともグリーンに上がった後、そのうち一人のプレーヤーがパッテイングするときに、ホールの向き側にボールが邪魔しているときに、邪魔のボールを取ることを許される。いずれのケースにおいて、ボールを拾い上げたとき、ボールの従来位置にマークを付けた上、後にボールを従来の位置に戻さなければならない。さらに、マーキングは床表面に突出してボールの移動に妨げることができないため、ほとんどが扁平式の部材を使用する。
【０００３】
取り上げたボールのマーキング方式はプレーヤーによって、様々である。あるプレーヤーはポケットのコインを取り上げたボールの位置に置き、ボールを綺麗に拭き取った後、またはパッテイングした後ボールを元の位置に戻して、コインを回収する。しかしながら、コインは一旦芝生に置くと、土砂や異物が付着し、ポケットに戻したとき、衣類を汚す恐れがある。
【０００４】
前記した課題の対策として、ある業者よりゴルフボールの位置を標示する標示器を開発した。図１に示すとおり、該公知技術の標示器は主に台Ａと標示板Ｂを設ける。該台Ａは導磁性の金属部材を使用し、その上表面に通常平面の台板Ａ１を設け、台板Ａ１のした表面にクリップＡ２を設ける。該標示板Ｂのした表面は通常に平面を形成し、磁石Ｂ１を設けて、標示板Ｂのした表面を台板Ａ１の上表面に吸着させる。通常はクリップＡ２を帽子の縁に挟んでおき、標示板Ｂを台板Ａ１に吸着させ、携帯に便利する。使用するとき、標示板Ｂに力を加えて、台板Ａ１から取って、使用する。
【０００５】
前記した公知技術の標示器のクリップは、帽子の縁以外の場所に挟むことができなく、使用範囲に制限を受ける欠点が残る。
【０００６】
もう一種の標示器は衣類に付けるバッジ、胸袋装飾品（以下、バッジで総称する）などに応用するものである。一般のバッジは本体の裏面にピンを設けて、衣類に取り付けるとき、ピンを衣類に通して、ボルトによって、ピンを止める。その欠点として、ピンは衣類を通すと、生地に損害を与えるほか、取り付けるとき、時間がかかり、便利ではない。
【考案の開示】
【考案が解決しようとする課題】
【０００７】
前記した公知技術のゴルフボール標示器またはバッジなどの標示器の課題を解決するため、本考案にて、一種の衣類の任意場所に固定し、より大ききと範囲に取り付けられる標示装置を考案および提供し、該標示装置はゴルフボール専用のボール位置標示装置のほか、衣類に取り付けるバッジに取り付けることもできる。
【０００８】
本考案は主に台、台板と標示板、三つの部品より構成する。そのうち、台と台板は磁気により衣類の内側と外側に吸着するため、衣類に取り付ける場所に制限を受けない。さらに強い磁力の磁気素子と組みあわせて、より分厚い衣類に吸着することができる。なお、標示板は磁気吸着方式により、台に付着させ、携帯および使用に便利する。
【０００９】
前記の目的を達成するため、本考案の台は導磁性部材を使用し、台の下方に第１磁気素子を設ける。台板の上面に第２磁気素子を設け、該第２磁気素子と第１磁気素子の磁性を逆方向に設ける。第１磁気素子と第２磁気素子との吸着により、台と台板を衣類の内側と外側にそれぞれ吸着させる。さらに、導磁性の部材を標示板に使用し、台の表面に吸着させる。
【００１０】
本考案次の技術手段は、導磁性部材の台と底板を使用し、該台の下部に磁気素子を設け、磁気素子と底板との吸着により、台と台板を衣類の内側と外側にそれぞれ吸着させる。さらに、標示板は導磁性の部材を使用する。
【００１１】
本考案のさらに一つの技術手段は、導磁性部材の台と底板を使用し、該台の下部に第１磁気素子を設け、第１磁気素子と第２磁気素子との吸着により、衣類の内側と外側にそれぞれ吸着させる。さらに、標示板の下部に第２磁気素子を設け、該第１磁気素子と第２磁気素子の磁性を逆方向に設け、標示板を台の上面に吸着させる。
【００１２】
本考案のまた一つの技術手段は、標示板および/または台板に立体の造形物あるいは平面図形を設けることにより、本考案をボール位置の識別機能のほか、装飾品の効果を兼ねる。
【００１３】
本考案は磁気固定方式により、台を衣類に付着させる。よって、取り付け場所の制限を受けることなく、衣類いずれの場所に取り付けられる。このため、本考案の使用範囲は、公知標示器より幅広く、より進歩性を有する。
【課題を解決するための手段】
【００１４】
請求項１の考案は、台、底台及び標示板より構成され、台は導磁性部材よりなり、該台の下表面に第１磁気素子を設け、
底台はその上表面に第２磁気素子を設け、該第２磁気素子と該第１磁気素子との磁性を逆方向に設け、
標示板は導磁性部材を使用し、台の上面に吸着させる一種の標示装置としている。
請求項２の考案は、該標示板の上表面に立体の造形物を設けることを特徴とする請求項１記載の標示装置としている。
請求項３の考案は、該標示板の上表面に平面図形を設けることを特徴とする請求項１記載の標示装置としている。
請求項４の考案は、該底台の下表面に立体の造形物を設けることを特徴とする請求項１記載の標示装置としている。
請求項５の考案は、該底台の下表面に平面図形を設けることを特徴とする請求項１記載の標示装置としている。
請求項６の考案は、該底台の下表面に立体の造形物を設けることを特徴とする請求項２または請求項３記載の標示装置としている。
請求項７の考案は、該底台の下表面に平面図形を設けることを特徴とする請求項２または請求項３記載の標示装置としている。
請求項８の考案は、導磁性部材の台を設け、該台の下表面に磁気素子を設ける、
導磁性部材の台を設け、該台の下表面に備える磁気素子に吸着させる、
標示板は導磁性部材を使用し、該台の上表面に吸着させる一種の標示装置としている。
請求項９の考案は、該標示板の上表面に立体の造形物を設けることを特徴とする請求項８記載の標示装置としている。
請求項１０の考案は、該標示板の上表面に平面図形を設けることを特徴とする請求項８記載の標示装置としている。
請求項１１の考案は、該底台の下表面に立体の造形物を設けることを特徴とする請求項８記載の標示装置としている。
請求項１２の考案は、該底台の下表面に平面図形を設けることを特徴とする請求項８記載の標示装置としている。
請求項１３の考案は、該底台の下表面に立体の造形物を設けることを特徴とする請求項９または請求項１０記載の標示装置としている。
請求項１４の考案は、該底台の下表面に平面図形を設けることを特徴とする請求項９または請求項１０記載の標示装置としている。
請求項１５の考案は、導磁性部材の台を設け、該台の下表面に第１磁気素子を設ける、  導磁性部材の台を設け、該台の下表面に備える第１磁気素子に吸着させる、
標示板の下表面に第２磁気素子を設け、該第２磁気素子と該第１磁気素子との磁性を逆方向に設ける一種の標示装置としている。
請求項１６の考案は、該標示板の上表面に立体の造形物を設けることを特徴とする請求項１５記載の標示装置としている。
請求項１７の考案は、該標示板の上表面に平面図形を設けることを特徴とする請求項１５記載の標示装置としている。
請求項１８の考案は、該底台の下表面に立体の造形物を設けることを特徴とする請求項１５記載の標示装置としている。
請求項１９の考案は、該底台の下表面に平面図形を設けることを特徴とする請求項１５記載の標示装置としている。
請求項２０の考案は、該底台の下表面に立体の造形物を設けることを特徴とする請求項１６または請求項１７記載の標示装置としている。
請求項２１の考案は、該底台の下表面に平面図形を設けることを特徴とする請求項１６または請求項１７記載の標示装置としている。
【考案の効果】
【００１５】
本考案は標示装置、本考案は磁気固定方式により、台を衣類に付着させる。よって、取り付け場所の制限を受けることなく、衣類いずれの場所に取り付けられる。このため、本考案の使用範囲は、公知標示器より幅広く、より進歩性を有する。
【考案を実施するための最良の形態】
【００１６】
図４に示すものは、本考案の標示装置の実施例１である。主に台１、底台２と標示板３より構成する。そのうち、台１は導磁性部材より台板１１を設け、該台板１１の下方に噛み合わせまたは粘着あるいはいかなる方式により、第１磁気素子１２を設け、かつ、台板１１の上下部とも平面が好ましいである。該底台２は台１下部に組合せる部品であり、底板２１の上面に噛み合わせまたは粘着あるいはいかなる方式により、第２磁気素子２２を設ける。該第２磁気素子２２と該第１磁気素子１２との磁性は逆方向に設け、互いに吸着できる。該標示板３は導磁性部材を使用し、台１の上面に吸着させる。
【００１７】
図５に示すとおり、本考案の実施例１は使用するとき、底台２を衣類４の内側に取り付け、第２磁気素子２２を上向きにした上、台１を衣類４の外側に取り付ける。第１磁気素子１２を下向きにし、第１磁気素子と第２磁気素子との磁性を逆方向に設け、互いに吸着させる。最後に、標示板３を台１の上表面に設ける。第１磁気素子１２は充分な磁性を有するほか、台１と標示板３とも導磁性があるため、標示板３を台１に取り付けた後は、第１磁気素子１２の吸着により、図８から図１１に示すとおり、本考案を帽子、襟元、袖口または衣類の胸袋など任意の位置に取り付けられる。
【００１８】
図６に示すとおり、本考案の実施例２は、導磁性部材を台座１、底台２と標示板３それぞれに使用し、台１の下表面に磁気素子１２Ａを設ける。使用するとき、底台２を衣類４の内側に取り付け、台１を衣類４の外側に取り付ける。磁気素子１２Ａを下向きにし、磁気素子１２Ａと導磁性部材の底台２は互いに吸着により固定した上、最後に標示板３を台１の上表面取り付ける。磁気素子１２Ａに充分な磁性を有するほか、台１と標示板３も導磁性部材であるため、標示板３を台に置くことにより、磁気素子１２Ａによって、吸着される。
【００１９】
図７に示すとおり、本考案の標示装置実施例３は、導磁性部材により台１と底台２を設ける。台１の下部に第１磁気素子１２設ける。底台２は台１下方に備える第１磁気素子１２に吸着される。該標示板３の下方に第２磁気素子２２を設け、該第２磁気素子２２と該第１磁気素子１２の磁気は逆方向に設ける。使用するとき、底台２を衣類４の内側に取り付けてから、台１を衣類４の外側に設けることにより、第１磁気素子１２を下向きにし、第１磁気素子１２と導磁性を帯びた底台２と互いに吸着および固定する。最後に標示板３を台１の上表面に取り付けて、第１、第２磁気素子１２、２２の逆方向の極性により、互いに吸着させる。
【００２０】
このほか、前記の標示板３の上表面および/または底台２の下表面に、ゴルフボール、フットボール、幾何形状、商標、カフスボタンなどの装飾効果を有する立体形の造形物または図画を形成して、本考案の付加価値を向上できる。
【図面の簡単な説明】
【００２１】
【図１】公知技術のボール位置標示装置構成部品の立体分解図である。
【図２】公知技術のボール位置標示装置の台に閉合式クリップを備えた構造である。
【図３】公知技術のボール位置標示装置の台に開口式クリップを備えた構造である。
【図４】本考案の標示装置構成部品の立体分解図である。
【図５】本考案の標示装置を衣類おける第１実施例の平面断面図である。
【図６】本考案の標示装置を衣類おける第２実施例の平面断面図である。
【図７】本考案の標示装置を衣類おける第３実施例の平面断面図である。
【図８】本考案の標示装置を帽子に取り付けたときの立体図である。
【図９】本考案の標示装置を衣類に取り付けたときの立体図である。
【図１０】本考案の標示装置を衣類の袖口に取り付けたときの立体図である。
【図１１】本考案の標示装置を衣類の胸袋に取り付けたときの立体図である。
【符号の説明】
【００２２】
１、Ａ  台
１１、Ａ１  台板
１２  第１磁気素子
１２Ａ  磁気素子
２  底台
２１  底板
２２  第２磁気素子
３  標示板
４  衣類
Ａ２  クリップ
Ｂ  標示板
Ｂ１  磁石
【図１】
0003122919.tif 000003
【図２】
0003122919.tif 000004
【図３】
0003122919.tif 000005
【図４】
0003122919.tif 000006
【図５】
0003122919.tif 000007
【図６】
0003122919.tif 000008
【図７】
0003122919.tif 000009
【図８】
0003122919.tif 000010
【図９】
0003122919.tif 000011
【図１０】
0003122919.tif 000012
【図１１】
0003122919.tif 000013